(57)【要約】      （修正有）【課題】洗面ミラーが前方に平行移動可能かつ左右両開きが可能な洗面化粧台の提供。【解決手段】長尺材を互いに枢動可能かつ直鎖状に連結したヒンジ９３の一端を右サイドミラー８０に回転可能に連結するとともに、もう一端をミラーキャビネット３０に連結することにより、右サイドミラー８０は、ミラーキャビネット３０に対して前方方向に移動可能となる。また、右サイドミラー８０は、収納棚８５の左右一方を開放的にさせるように回転可能であるため、左右両開きが可能となる。従って、使い勝手の良い洗面化粧台を提供することができる。【選択図】  図２
2004337450.tif 000002
【特許請求の範囲】
【請求項１】
洗面ボウルキャビネットの後方側から略鉛直に立設されるミラーキャビネットと、上記ミラーキャビネットに形成される前面に開放的な略箱状の収納棚と、上記収納棚を前面から覆って閉状態とすることが可能な炬形板状の洗面ミラーとを具備する洗面化粧台において、
複数の長尺材を互いに枢動自在、かつ、直鎖状に連結して形成したヒンジの一端を上記洗面ミラーと鉛直軸により回転自在に連結し、もう一端を上記キャビネットと鉛直軸により回転自在に連結するとともに、
上記洗面ミラーの左右両端部には、上記洗面ミラーの左右両端部を上記ミラーキャビネットと接して回転あるいは離反可能とする着脱自在なヒンジ機構が備えられることを特徴とする洗面化粧台。
【請求項２】
洗面ボウルキャビネットの後方側から略鉛直に立設されるミラーキャビネットと、上記ミラーキャビネットに形成される前面に開放的な略箱状の収納棚と、上記収納棚を前面から覆って閉状態とすることが可能な炬形板状の洗面ミラーとを具備する洗面化粧台において、
少なくとも互いにスライド可能な第一部材と第二部材とからなるスライドレールの同第一部材を上記洗面ミラーと鉛直軸により回転自在に連結し、同第二部材を上記キャビネットと鉛直軸により回転自在に連結するするとともに、
上記洗面ミラーの左右両端部には、上記洗面ミラーの左右両端部を上記ミラーキャビネットと接して回転あるいは離反可能とする着脱自在なヒンジ機構が備えられることを特徴とする洗面化粧台。
【請求項３】
上記ヒンジ機構は、上記収納棚を閉状態としたときに、上記洗面ミラーの左右両端面に対向する壁面と、
上記壁面から上記洗面ミラーの幅方向中央に向かって突出する凸部とを具備するとともに、
上記凸部は、上記洗面ミラーの幅方向端面に前面側から当接することを特徴とする請求項１または請求項２のいずれかに記載の洗面化粧台。
【請求項４】
上記ヒンジ機構は、上記洗面ミラーの四隅において上記洗面ミラーと上記キャビネットのいずれか一方に軸が鉛直方向に配向した軸突起を配設し、同軸突起が配設されないもう一方に同軸突起を軸受けするための凹部を設け、上記洗面ミラーの上下二対の同軸突起と同凹部の軸位置をそれぞれ一致させることにより上記洗面ミラーを左右両端の鉛直軸により回転可能に連結するとともに、
上記軸突起は、所定の範囲で軸方向にスライド可能に保持され、軸方向の底面から頂点に向かう方向に弾性力を及ぼす弾性部材により、上記軸受けに挿入された軸受け状態となるまで突出させられ、上記弾性力に抗して押し下げられると軸受け状態を解除することを特徴とする請求項１または請求項２のいずれかに記載の洗面化粧台。
【請求項５】
上記洗面ミラーの左右両端に設けられる一対の上記軸突起は、長尺板状の連動アームの両端のそれぞれに接合されるとともに、上記連動アームは、当該一対の上記軸突起の間に設けられた支点により回動可能に支持され、左右一方の同軸突起の軸受け状態を解除するべく同軸突起を押し下げると、当該軸突起とともに上記連動アームの一端が押し下げられることにより連動アームが上記回転軸により回動し、押し下げられていない軸突起が同連動アームのもう一端とともに押し上げられることを特徴とする請求項４に記載の洗面化粧台。
【発明の詳細な説明】
【０００１】
【発明の属する技術分野】
本発明は、洗面化粧台に関し、特に、洗面ミラーの背面に収納棚が備えられる洗面化粧台に関する。
【０００２】
【従来の技術】
従来、この種の洗面化粧台として、洗面ミラーの左右両端部に鉛直回転軸を備えたものが知られている（例えば、特許文献１参照。）。
かかる構成により左右両端部の上記鉛直回転軸のいずれか選択することにより、所望の方向に洗面ミラーを開扉させることが可能となっている。
【特許文献１】
特開２００２−３２０５２１号公報
【０００３】
【発明が解決しようとする課題】
上述した洗面化粧台においては、洗面ミラーの左右両端部の鉛直回転軸による回動のみが可能であるため、ミラーを顔に近づけて作業しようと思っても洗面ミラーを前方に引き出して使用できないという課題があった。
本発明は、上記課題にかんがみてなされたもので、洗面ミラーが前方に平行移動可能かつ左右両開きが可能な洗面化粧台の提供を目的とする。
【０００４】
【課題を解決するための手段】
上記目的を達成するため、請求項１にかかる発明は、洗面ボウルキャビネットの後方側から略鉛直に立設されるミラーキャビネットと、上記ミラーキャビネットに形成される前面に開放的な略箱状の収納棚と、上記収納棚を前面から覆って閉状態とすることが可能な炬形板状の洗面ミラーとを具備する洗面化粧台において、
複数の長尺材を互いに枢動自在、かつ、直鎖状に連結して形成したヒンジの一端を上記洗面ミラーと鉛直軸により回転自在に連結し、もう一端を上記キャビネットと鉛直軸により回転自在に連結するとともに、上記洗面ミラーの左右両端部には、上記洗面ミラーの左右両端部を上記ミラーキャビネットと接して回転あるいは離反可能とする着脱自在なヒンジ機構が備えられる構成としてある。
【０００５】
上記のように構成した請求項１にかかる発明において、上記洗面ボウルキャビネットの後方側に上記ミラーキャビネットが立設され、同ミラーキャビネットに前面側に開放的な上記収納棚が備えられる。上記収納棚は、上記洗面ミラーが前面から覆うことにより閉状態とすることが可能となる。さらに、上記洗面ミラーを、複数の長尺材を互いに枢動自在、かつ、直鎖状に連結して形成したヒンジの一端と鉛直な軸をもって回転自在に連結する。一方、上記収納棚が設けられた上記キャビネットを、上記ヒンジの上記洗面ミラーが連結されないもう一端と連結する。こうして、上記洗面ミラーは、上記キャビネットと相互に連結される。
【０００６】
ここで、上記洗面ミラーと上記ヒンジとの連結部と、上記ヒンジの長尺材同士の連結部と、上記キャビネットと上記ヒンジとの連結部は回転可能であるため、上記洗面ミラーは上記キャビネットに対して回転可能となる。さらに、上記ヒンジは、複数の長尺材を互いに枢動自在に連結して形成してあるため、上記ヒンジの屈曲状態と伸長状態との範囲で末端同士の相対位置を変化させることができる。従って、上記ヒンジの両端に連結された上記洗面ミラーと上記ミラーキャビネットは相対位置を変化させることができる。すなわち、上記ミラーキャビネットの前面側に連結される上記洗面ミラーは、上記ヒンジが伸長状態となるとき前面側に変位して上記収納棚を解放状態とする。なお、このとき上記洗面ミラーは回転可能に連結されるため所望の方向に回動させることができる。一方、上記ヒンジが屈曲状態となるとき上記洗面ミラーは上記ミラーキャビネットに接近する。このとき上記洗面ミラーを上記収納棚と略平行に配向させれば上記収納棚を閉状態とすることができる。
【０００７】
さらに、上記ヒンジ機構は上記洗面ミラーの左右両端に備えられるため、左端を離反させるとともに、右端を上記ミラーキャビネットに接して回転させれば、左側を開放的とするように上記洗面ミラーを回動開きをさせることが可能となる。同様に、右端を離反させるとともに、左端を上記ミラーキャビネットに接して回転させれば、右側を開放的とするように上記洗面ミラーを回動開きをさせることもできる。すなわち、左右両開きが可能なため使い勝手がよい。さらに、上記洗面ミラーの左右両端とも上記ミラーキャビネットから離間させれば、上記洗面ミラーを前面側に引き出して使用することも可能である。
【０００８】
ここで上記ヒンジの配設個数は特に限定されず、上記洗面ミラーの形状、重さ等に応じて変更することができる。例えば、大型の洗面ミラーを保持するのであれば、ヒンジの個数を増加させればよい。また、上記ヒンジは、複数の長尺材を互いに回動自在、かつ、直鎖状に連結してあればよく、長尺材の枚数も特に限定されない。例えば、上記洗面ミラーの変位量を大きくしたいのであれば、多数の長尺材を直鎖状に連結したヒンジを使用して、伸長量を増大させればよい。
【０００９】
また、請求項２にかかる発明は、洗面ボウルキャビネットの後方側から略鉛直に立設されるミラーキャビネットと、上記ミラーキャビネットに形成される前面に開放的な略箱状の収納棚と、上記収納棚を前面から覆って閉状態とすることが可能な炬形板状の洗面ミラーとを具備する洗面化粧台において、
少なくとも互いにスライド可能な第一部材と第二部材とからなるスライドレールの同第一部材を上記洗面ミラーと鉛直軸により回転自在に連結し、同第二部材を上記キャビネットと鉛直軸により回転自在に連結するするとともに、上記洗面ミラーの左右両端部には、上記洗面ミラーの左右両端部を上記ミラーキャビネットと接して回転あるいは離反可能とする着脱自在なヒンジ機構が備えられる構成としてある。
【００１０】
上記のように構成した請求項２にかかる発明において、上記洗面ボウルキャビネットの後方側に上記ミラーキャビネットが立設され、同ミラーキャビネットに前面側に開放的な上記収納棚が備えられる。上記収納棚は、上記洗面ミラーが前面から覆うことにより閉状態とすることが可能となる。さらに、上記洗面ミラーを、上記スライドレールの上記第一部材と鉛直な軸をもって回転自在に連結する。一方、上記収納棚が設けられた上記ミラーキャビネットを、上記スライドレールの上記第一部材にスライド可能な第二部材と鉛直な軸をもって回転自在に連結する。こうして、上記洗面ミラーは、上記ミラーキャビネットと相互に連結される。
【００１１】
ここで、上記洗面ミラーと上記スライドレールとの連結部と、上記ミラーキャビネットと上記スライドレールとの連結部は回転可能であるため、上記洗面ミラーは上記ミラーキャビネットに対して回転可能となる。さらに、上記スライドレールは、スライド可能であるため、上記スライドレールの収縮状態と伸長状態との範囲で両端同士の相対位置を変化させることができる。従って、互いにスライド可能な第一部材および第二部材に連結された上記洗面ミラーと上記ミラーキャビネットは相対位置を変化させることができる。すなわち、上記ミラーキャビネットの前面側に連結される上記洗面ミラーは、上記スライドレールが伸長状態となるとき前面側に変位して上記収納棚を解放状態とする。なお、このとき上記洗面ミラーは回転可能に連結されるため所望の方向に配向させることができる。一方、上記スライドレールが収縮状態となるとき上記洗面ミラーは上記ミラーキャビネットに接近する。なお、このとき上記洗面ミラーを上記収納棚と略平行に配向させれば上記収納棚を閉状態とすることができる。
【００１２】
さらに、上記ヒンジ機構は上記洗面ミラーの左右両端に備えられるため、左端を離反させるとともに、右端を上記ミラーキャビネットに接して回転させれば、左側を開放的とするように上記洗面ミラーを回動開きをさせることが可能となる。同様に、右端を離反させるとともに、左端を上記ミラーキャビネットに接して回転させれば、右側を開放的とするように上記洗面ミラーを回動開きをさせることもできる。すなわち、左右両開きが可能なため使い勝手がよい。さらに、上記洗面ミラーの左右両端とも上記ミラーキャビネットから離間させれば、上記洗面ミラーを前面側に引き出して使用することも可能である。
【００１３】
ここで、上記スライドレールは少なくとも互いにスライド可能な第一部材と第二部材とが含まれていればよく、これらの部材の間に他の部材が介在する構成であってもよい。例えば、第一の部材と第二に部材の間に第三の部材を介在させて、これらを全て互いにスライド可能にすることで、上記スライドレールの伸長量を増加させるものとしてもよい。むろん、上記スライドレールの配設個数も適宜変更可能である。
【００１４】
また、請求項３にかかる発明は、上記ヒンジ機構は、上記収納棚を閉状態としたときに、上記洗面ミラーの左右両端面に所定の間隔を隔てて対向する壁面と、上記壁面から上記洗面ミラーの幅方向中央に向かって突出する凸部とを具備するとともに、上記凸部は、上記洗面ミラーの幅方向端面に前面側から当接する構成としてある。
【００１５】
上記のように構成した請求項３にかかる発明において、上記収納棚を上記洗面ミラーで覆って閉状態としたとき、上記洗面ミラーの左右の両端面に所定の間隔を隔てて対向する壁面が形成される。さらに、同壁面には、上記洗面ミラーの幅方向中央に向かって突出する凸部が形成され、同凸部が上記洗面ミラーの左右端部に前面側から当接する。すなわち、上記洗面ミラーの左右両端部を上記キャビネット側に拘束することが可能となる。ただし、上記洗面ミラーの左右両端部を固定することはないため、同両端部を上記ミラーキャビネットに接して回転させることも可能である。
【００１６】
また、上記洗面ミラーの左右の両端面と上記壁面は所定の間隔を隔てて対向するため、上記洗面ミラーを幅方向に同間隔の分だけずらすことができる。従って、上記洗面ミラーを左方向にずらすと、同洗面ミラーの右端と、これに対向する上記壁面との間隔が増大する。すると、同洗面ミラーの右端と、これに対向する上記壁面に設けられた上記凸部との当接量が減少して、同洗面ミラーの右端を前方に離反させやすくすることができる。同様に、上記洗面ミラーを右方向にずらすと、同洗面ミラーの左端を前方に離反させやすくすることができる。
【００１７】
また、請求項４にかかる発明は、上記固定機構は、上記洗面ミラーの四隅において上記洗面ミラーと上記ミラーキャビネットのいずれか一方に軸が鉛直方向に配向した軸突起を配設し、同軸突起が配設されないもう一方に同軸突起を軸受けするための凹部を設け、上記洗面ミラーの上下二対の同軸突起と同凹部の軸位置をそれぞれ一致させることにより上記洗面ミラーを左右両端の鉛直軸により回転可能に連結するとともに、上記軸突起は略柱状部材であって、所定の範囲で軸方向にスライド可能に保持され、軸方向の底面から頂点に向かって及ぼされる弾性力を発揮する弾性部材により支持されることにより、頂点に向かって突出して上記軸受けに挿入された軸受け状態を保持し、上記弾性力に抗して押し下げられると軸受け状態を解除する構成としてある。
【００１８】
上記のように構成した請求項４にかかる発明において、上記洗面ミラーは、上下の軸位置を一致させられ、かつ、軸方向が鉛直な左右二対の上記軸突起と上記凹部とにより連結されるため、上記軸突起と上記凹部を鉛直な回転軸として上記洗面ミラーを回転させることが可能となる。上記軸突起は軸方向の底面から頂点に向かって弾性力を発揮する弾性部材によって頂点に向かって突出させられると、上記凹部に上記軸突起が挿入される軸受け状態となる。一方、上記弾性力に抗して上記軸突起を押し下げると下方にスライドして、上記凹部に係合しなくなり軸受け状態が解除される。
【００１９】
ここで、上記洗面ミラーの右側の上記軸突起を軸受け状態としつつ、左側の上記軸突起の軸受け状態を解除すると、右側の上記軸突起が回転軸となり上記収納棚の左側を開放的にするように洗面ミラーが回転させることが可能となる。同様に、上記洗面ミラーの左側の上記軸突起を軸受け状態としつつ、右側の上記軸突起の軸受け状態を解除すると、上記収納棚の右側を開放的にするように洗面ミラーを回転させることが可能となる。
【００２０】
さらに、請求項５にかかる発明は、上記洗面ミラーの左右両端に設けられる一対の上記軸突起は、長尺板状の連動アームの両端のそれぞれに接合されるとともに、上記連動アームは、当該一対の上記軸突起の間に設けられた支点により回動可能に支持され、左右一方の同軸突起の軸受け状態を解除するべく同軸突起を押し下げると、当該軸突起とともに上記連動アームの一端が押し下げられることにより連動アームが上記回転軸により回動し、押し下げられていない軸突起が同連動アームのもう一端とともに押し上げられる構成としてある。
【００２１】
上記のように構成した請求項５にかかる発明において、上記連動アームは、上記洗面ミラーの略中央位置に設けられた支点により回動可能に支持される。さらに、上記連動アームの左右両端のそれぞれに一対の軸突起がそれぞれ接合される。すなわち、一方の上記軸突起を押し下げることにより、当該軸突起が接合された側の上記連動アームの端部も押し下げられる。同時に、上記回転軸を挟んで反対側に位置する上記連動アームのもう一端ととともに、押し下げられなかった上記軸突起が同軸突起の頂点方向に押し上げられる。従って、一方の軸突起を押し下げて軸受け状態を解除すると、もう一方の軸突起の軸受け状態を強化することが可能となる。
【００２２】
【発明の効果】
以上説明したように、請求項１および請求項２にかかる発明によれば、左右両方ともに解放可能であるとともに前方にスライド可能な洗面ミラーを具備する洗面化粧台を提供することができる。
請求項３にかかる発明によれば、洗面ミラーの左右両端を適度にミラーキャビネット側に拘束させることができる。
請求項４にかかる発明によれば、洗面ミラーの開扉動作を安定させることができる。
請求項５にかかる発明によれば、洗面ミラーを確実に片側に解放させることが可能となる。
【００２３】
【発明の実施の形態】
ここでは、下記の順序に従って本発明の実施形態について説明する。
（１）第一の実施形態：
（２）第二の実施形態：
【００２４】
（１）第一の実施形態
図１は、本発明の第一の実施形態にかかる洗面化粧台を正面から見て示している。同図において、洗面化粧台１０の高さ方向中央には略半球状の洗面ボウル２０が球面を下に向けて備えられている。洗面ボウル２０の奥側には、洗面ボウル２０に給水、給湯をするための蛇口４０が備えられている。一方、洗面ボウルの下側には、洗面ボウル２０を下側から支持する略箱状の下収納棚５０が備えられている。また、同収納棚５０の前方には、水平方向に開扉可能な扉５０ａ，５０ｂが備えられ、同扉５０ａ，５０ｂを開閉させることで、収納物の出し入れが可能な解放状態と、収納時の閉状態とにすることが可能となっている。
【００２５】
また、洗面ボウル２０の背面側から上方に向かって立設されたミラーキャビネット３０が上方に三枚の洗面ミラー６０，７０，８０を鉛直に保持している。洗面ミラー６０，７０，８０は、センターミラー７０と左サイドミラー６０と右サイドミラー８０とが個々に独立している。また、センターミラー７０、左サイドミラー６０、右サイドミラー８０は全て炬形板状となっており、下端面および上端面を水平としつつ、左右端面を鉛直とするように保持されている。
【００２６】
センターミラー７０と左サイドミラー６０と右サイドミラー８０を前面側に支持するミラーキャビネット３０の各洗面ミラーの背面側には収納棚が前面側に開放的にとなるように設けられている。センターミラー７０に前面側から覆われる部位には収納棚７５が備えられ、左サイドミラー６０に前面側から覆われる部位には収納棚６５が形成され、右サイドミラー８０に前面側から覆われる部位には棚８５が形成されている。そして、各洗面ミラー６０，７０，８０は開扉することが可能となっており、同洗面ミラー６０，７０，８０をそれぞれ開扉すると、収納棚６５，７５，８５は前面側に開放的になり、収納物の出し入れが可能となる。一方、図１に示すように各洗面ミラー６０，７０，８０を閉状態とすることで、各洗面ミラー６０，７０，８０が前面方向に垂直に正立して鏡として使用することが可能となっている。
【００２７】
図２は、右サイドミラー８０を開扉させて収納棚８５を開放的にした状態を示している。同図において、ミラーキャビネット３０の右側部分には、前面側に開放的な収納棚８５が設けられており、この収納棚８５は、通常時において右サイドミラー８０にて隠されている。右サイドミラー８０は、厚みを有する炬形板状の保持板８１の前面側に保持されていてる。また、同保持板８１は左右端面が外側に半円状となるように形成されている。一方、保持板８１の下側端面の左右両端には、左右一対の取っ手８１ａ，８１ｂが形成されており、下側から指を掛けることが可能となっている
【００２８】
図３は、右サイドミラー８０を閉じて収納棚８５閉状態としたミラーキャビネット３０を上方から見て示している。同図において、収納棚８５の天板に相当するミラーキャビネット３０の水平面３０ａの前方側に、保持板８１を収容する凹部が形成されている。同凹部は、支持板８１の背面に対向する壁面３０ａ１と、支持板８１の左右端面に対向する壁面３０ａ２，３０ａ３とで構成されており、支持板８１の左右端面と壁面３０ａ２，３０ａ３とは所定の間隔が隔てられている。従って、この間隔の合計の範囲内において支持板８１は左右に移動可能となっている。一方、壁面３０ａ２，３０ａ３の前面側には、凸部３０ａ４，３０ａ５が形成されており、それぞれ同量の突出量だけ右サイドミラー８０の幅方向中央に向かって突出している。ここで、支持板８１の左右端面と壁面３０ａ２，３０ａ３との間隔の合計は、凸部３０ａ４，３０ａ５のそれぞれの突出量よりわずかに大きいものとなっている。一方、収納棚８５の底板に相当するミラーキャビネット３０の水平面３０ｂについても、同様に凸部、壁面が設けられ保持板８１が収容可能に形成されている。
【００２９】
保持板８１とミラーキャビネット３０は上下一対のヒンジ９３，９４により連結されている。図３は、ヒンジ９３を斜めから見て示している。同図においてヒンジ９３は、長尺板材９３ａ，９３ｂと連結軸９３ｃとで構成されている。長尺板材９３ａの長さ方向両端には、円柱形の貫通穴９３ａ１，９３ａ２が形成され、同様に長尺板材９３ｂには貫通穴９３ｂ１，９３ｂ２が形成されている。
【００３０】
そして、貫通穴９３ａ２と貫通穴９３ｂ２とが同一軸上に重なるように長尺板材９３ａ，９３ｂを重ね合わせ、貫通穴９３ａ２と貫通穴９３ｂ２に対して連結軸９３ｃを挿入させることにより長尺板材９３ａ，９３ｂを互い枢動可能に連結している。なお、連結軸９３ｃの上端および下端には、貫通穴９３ａ２，９３ｂ２より広径の抜け止め部９３ｃ１，９３ｃ２が設けられているため、連結軸９３ｃが抜けてしまうことが防止されている。一方、下側ヒンジ９４は、上側ヒンジ９３と全く同様の構成となっている。
【００３１】
図５は、ヒンジ９３とミラーキャビネット３０との連結部を示している。なお、図の簡略化のため右サイドミラー８０を省略して示している。同図において、ミラーキャビネット３０および収納棚８５の水平面部３０ａには、ヒンジ９３を収容するための肉薄部３０ｄが収納棚８５の左右略中央に設けられている。同肉薄部３０ｄの左右略中央部において、ヒンジ９３の長尺板材９３ｂの一端に設けられた貫通穴９３ｂ１にボルト９６の軸部分を下側から鉛直方向上側に向かって貫通させつつ、ボルト９６を肉薄部３０ｄに螺設している。
【００３２】
なお、ボルト９６の軸部分の径は貫通穴９３ｂ１の径よりやや小さく形成してあるため、ヒンジ９３はボルト９６の軸部分を回転軸として回動可能となっている。また、ヒンジ９３と肉薄部３０ｄとの間には環状のスぺーサー８３ｅが取り付けられるため、長尺板材９３ａ，９３ｂの連結軸９３ｃの抜け止め部９３ｃ１が肉薄部３０ｄに干渉することが防止されている。一方、下側ヒンジ９４も、同様にミラーキャビネット３０の収納棚８５の底面に相当する水平面部３０ｂに回転可能に連結されている。
【００３３】
図６は、ヒンジ９３を保持板８１に連結する状態を示している。同図において、保持板８１の背面の上方部分が見えており、同部分にはヒンジ９４を収容するための凹部８１ｃが設けられている。凹部８１ｃの左右略中央部には、円棒９７が同凹部８１ｃの下面から上面にわたって鉛直に架け渡されている。同円棒９７には、スぺーサー８１ｅ，８１ｆが貫通させられ、これらによって上下から挟み込むようにヒンジ９３の長尺板材９３ａの一端を保持している。
【００３４】
また、貫通穴９３ａ１を同貫通穴９３ａ１の内径よりやや小径の円棒９７で貫通させて連結してあるため、ヒンジ９３は円棒９７を鉛直回転軸として回転可能となっている。なお、ヒンジ９３の上下方向の取り付け位置はスぺーサー８１ｅ，８１ｆによって調整されているため、長尺板材９３ａ，９３ｂの連結軸９３ｃの抜け止め部９３ｃ１，９３ｃ２が保持板８１に干渉することが防止されている。また、下側ヒンジ９４も、同様に保持板８１に回転可能に連結されている。
【００３５】
かかる構成により、図２に示すように洗面ミラー８０を開扉して収納棚８５を前面側に解放することが可能となる。以下、収納棚８５を閉状態から、図２に示す状態とするまでの動作について説明する。まず、保持板８１の下端面の左側に設けられた取っ手８１ａに指を掛けて支持板８１を右側にずらすと、図７に示すように支持板８１の右端面が壁面３０ａ２に当接する。このとき、支持板８１の左側には、凸部３０ａ５の内側への突出量よりわずかに広い間隔が形成される。従って、取っ手８１ａを前方に引くと、保持板８１の左側が凸部３０ａ５に干渉することなくミラーキャビネット３０から離間する。一方、支持板８１の右端面は凸部３０ａ４により、ミラーキャビネット３０側に拘束されている。
【００３６】
さらに、取っ手８１ａを前方に引くと、洗面ミラー８０の左側を自由端とし、洗面ミラー８０の右側を固定端として保持板８１が回動することとなる。なお、凸部３０ａ４は、支持板８１の右端部をミラーキャビネット３０側に拘束するのみで、支持板８１の回動の妨げにならない。また、保持板８１の右端面は、外側に半円状となるように形成されているため、壁面３０ａ１，３０ａ２に当接しつつスムーズに回転することが可能となっている。
【００３７】
以上の動作において、ヒンジ９３は、閉状態のときには、長尺板材９３ａ，９３ｂがなす角度が鋭角となるように互いに重ね合うようにしている。このようにすれば、ミラーキャビネット３０側に連結した貫通穴９３ｂ１と保持板８１側に連結した貫通穴９３ａ１が接近し、保持板８１をミラーキャビネット３０に近接させることができる。図２に示すような開放状態では、長尺板材９３ａ，９３ｂのなす角度を鈍角化するように、長尺板材９３ａ，９３ｂが連結軸９３ｃにより互いに枢動し、ミラーキャビネット３０側に連結した貫通穴９３ｂ１と保持板８１側に連結した貫通穴８３ａ１とを遠ざけている。
【００３８】
また、上述したようにヒンジ９３はミラーキャビネット３０と保持板８１に対して回転可能に連結されているため、右サイドミラー８０の左側のみをミラーキャビネット３０から離間させるように保持板８１を配向させることができる。下側のヒンジ９４についても同様に、長尺板材が互いに鈍角をなしているとともに、保持板８１を右サイドミラー８０の左側のみをミラーキャビネット３０から離間させる方向に配向させることができる。なお、ヒンジ９３，９４と保持板８１およびミラーキャビネット３０との連結軸は鉛直に配向されているため、保持板８１全体を鉛直方向の回転軸で回転させやすくなっている。
【００３９】
図８は、収納棚８５が解放的とされる状態であって、図２とは別の状態を示している。同図においては、右側の取っ手８１ｂを手前側に引っ張ることにより、保持板８１の右側のみをミラーキャビネット３０から離間させている。ヒンジ９３は長尺板材９３ａ，８３ｂを略一直線状とするように伸長して、ミラーキャビネット３０側に連結した貫通穴９３ｂ１と保持板８１側に連結した貫通穴９３ａ１とを最大限遠ざけている。下側ヒンジ９４も同様に最大限伸長している。
【００４０】
本状態とする課程においても、閉状態から保持板８０を左方向にずらすことにより、凸部３０ａ４による保持板８１の右端部の拘束を解除しつつ、同保持板８１の右端部をミラーキャビネット３０から離間させればよい。ヒンジ９３，９４は保持板８１を回転可能に連結しているため、保持板８１を右側のみ離間させるように配向させることが可能である。
【００４１】
かかる構成により、収納棚８５の左右いずれの側を開放的にさせる方向にも右サイドミラー８０を開扉させることができるため、使い勝手のよい洗面化粧台となる。すなわち、図２に示す状態においては、洗面化粧台１０の中央側から収納棚８５に手を差し出して物の出し入れがしやすいし、図６に示す状態とすれば、センタミラー７０と右サイドミラー８０とを所定の角度をもって対向させることができるため二面境として使用することが可能となる。さらに、左サイドミラー６０も右サイドミラー８０と同構造とし図５に示す状態と左右対象の状態とすれば、全体として三面境として使用することも可能である。
【００４２】
また、図９に示すように保持板８１左右両端をともにミラーキャビネット３０から離間させることも可能である。この場合、右サイドミラー８０を正面に配向させたまま平行に前面側に移動させることも可能である。従って、通常であれば、洗面ボウルに阻害されるため右サイドミラー８０に顔を近づけて化粧等をすることが困難であるが、このように前方に平行移動をさせることにより、鏡を顔を近づけることも容易となる。さらに、前方に引き出した状態から、右サイドミラー８０を所望の角度に水平回転させることができるため、使い勝手がよい。
【００４３】
以上、右サイドミラーについて説明したが、本発明はセンターミラー７０に対しても有用である。センターミラー７０の背面側にも収納棚７５が備えられるため左右両側に開くことが可能であれば、自己の立ち位置等に応じて使いやすい側を選択して解放させれば収納物の出し入れが容易となる。センターミラー７０は、右サイドミラー８０よりも面積が大きく、重いため、ヒンジの個数を増加して補強したり、ヒンジを構成する長尺板材の長さを長くしたり、連結枚数を増加させて伸長量を大きくして対応することも可能である。また、左サイドミラー６０について有用であることは言うまでもない。
【００４４】
（２）第二の実施形態
図１０は、本発明の第二の実施形態にかかる洗面化粧台を斜めから見て示している。収納棚１８５の天板に相当するミラーキャビネット１３０の水平面１３０ａが前方に延設されており、保持板１８１を閉じて収納棚１８５を閉状態としたときには、水平面１３０ａの前方部分が保持板１８１の上端面を上側から覆うように形成されている。保持板１８１の下端面も同様に、保持板１８１を閉じて収納棚１８５を閉状態としたときには、ミラーキャビネット１３０の水平面１３０ｂにより覆われるように形成されている。
【００４５】
保持板１８１の上端面の左右両端には、上方に向かって突出する一対の円形断面を有する軸突起１８３ａ，１８３ｂが備えられ、閉状態としたときの当該軸突起１８３ａ，１８３ｂの対応位置には、下側に開口する軸受け穴１３１ａ，１３１ｂが水平面１３０ａに凹みを設けるようにして形成されている。なお、軸受け穴１３１ａ，１３１ｂは、軸突起１８３ａ，１８３ｂよりやや大きい形状となっている。
【００４６】
一方、保持板１８１の下端面の左右両端には、下方に向かって突出する一対の円形断面を有する軸突起１８３ｃ，１８３ｄが備えられ、閉状態としたときの当該軸突起１８３ｃ，１８３ｄの対応位置には、上側に開口する軸受け穴１３１ｃ，１３１ｄが水平面１３０ｂに凹みを設けるようにして形成されている。なお、軸受け穴１３１ｃ，１３１ｄは、軸突起１８３ｃ，１８３ｄよりやや大きい形状となっている。
【００４７】
また、右サイドミラー１８０の右端に位置する軸突起１８３ｂ、軸受け穴１３１ｂ、軸突起１８３ｄおよび軸受け穴１３１ｄは全て軸方向が鉛直方向に配向されているとともに、全て軸位置が同一鉛直線上となるように配置されている。同様に、右サイドミラー１８０の左端に位置する軸突起１８３ａ、軸受け穴１３１ａ、軸突起１８３ｃおよび軸受け穴１３１ｃも全て軸方向が鉛直方向に配向されているとともに、全て軸位置が同一鉛直線上となるように配置されている。
【００４８】
同図においては、右サイドミラー１８０の右端に位置する上下の軸突起１８３ｂ，１８３ｄが上下の軸受け穴１３１ｂ，１３１ｄに挿入された軸受け状態となっているとともに、右サイドミラー１８０の左端に位置する上下の軸突起１８３ａ，１８３ｃは上下の軸受け穴１３１ａ，１３１ｃに挿入されていない。また、保持板１８１の右側、左側端面の高さ方向中程には、それぞれ端面に凹みを設けて形成した取っ手１８１ａ，１８１ｂが備えられている。
【００４９】
かかる構成により、保持板１８１に保持された右サイドミラー１８０を安定して開扉させることが可能となる。すなわち、保持板１８１の左端を自由端として右サイドミラー１８０を開扉させるにあたり、保持板１８１の右端を上下二対の軸突起１８３ｂ，１８３ｄ、軸受け穴１３１ｂ，１３１ｄが一定位置に保持するため、安定した固定端を形成することとなる。さらに、上下二対の軸突起１８３ｂ，１８３ｄ、軸受け穴１３１ｂ，１３１ｄは円形断面を有する形状となっているため鉛直方向の回転軸として保持板１８１をスムーズに回動させることができる。また、保持板１８１の左端に備えられた取っ手１８１ａに指を掛けて手前に引くと開扉の操作がしやすい。
【００５０】
反対に図１１に示すように、保持板１８１の右端を自由端として右サイドミラー１８０を開扉させるには、右サイドミラー１８０の左端に位置する上下の軸突起１８３ａ，１８３ｃを上下の軸受け穴１３１ａ，１３１ｃに挿入させ、右サイドミラー１８０の左端に位置する上下の軸突起１８３ｂ，１８３ｄは上下の軸受け穴１３１ｃ，１３１ｄに挿入させないようにすればよい。このとき、保持板１８１の右端に備えられた取っ手１８１ｂに指を掛けて手前に引くと開扉の操作がしやすい。従って、右サイドミラー１８０は左右どちら側を自由端とした場合においても、安定して開扉させることが可能となっている。
【００５１】
図１２は、軸突起１８３ａ，１８３ｂの構造を分解図により示している。同図において、保持板１８１の背面側には左右両端の上面が高く形成された凹部１８１ｃが形成され、同凹部１８１ｃの上方にはスライダーヒンジ１９３を連結するための凹部１８１ｄが設けられている。凹部１８１ｃの内部には、連動部材１８７が備えられており、同連動部材１８７の両端にてバネ１８８ａ，１８８ｂを介して凹部１８１ｃの下面と接合している。そして、バネ１８８ａ，１８８ｂの上方に軸突起１８３ａ，１８３ｂが一体成型されている。軸突起１８３ａ，１８３ｂを架け渡すようにアーム部１８７ａが形成されており、同アーム部１８７ａの左右中央部は下方に延出され支点部１８７ｂが形成されている。なお、支点部１８７ｂの先端が凹部１８１ｃの下面に当接し、この当接部を支点としてアーム部１８７ａを傾動させることにより、左右のバネ１８８ａ，１８８ｂの収縮力を釣り合わせている。なお、バネ１８８ａ，１８８ｂは同一のものであるため、アーム部１８７ａは略水平となっている。
【００５２】
軸突起１８３ａ，１８３ｂの軸方向下方部分は、略円柱形状となっており、軸方向上方部分は先端に向かって細径となる略円錐形状となっている。そして、凹部１８１ｃの両端上面から保持板１８１の上端面まで貫通する円穴１８１ｅ，１８１ｆが形成され、軸突起１８３ａ，１８３ｂの軸方向上方部分が同円穴１８１ｅ，１８１ｆを介して保持板１８１の上端面から上方に突出している。さらに、突出した軸突起１８３ａ，１８３ｂの軸方向上方部分は、破線で示した軸受け穴１３１ａ，１３１ｂの軸方向中程まで到達している。
【００５３】
また、本状態においては、アーム部１８７ａは略水平であるため、軸突起１８３ａ，１８３ｂの突出量は同等となっている。ここで、軸突起１８３ａ，１８３ｂと軸受け穴１３１ａ，１３１ｂをこれらの軸方向に対して垂直な方向に移動させようとすると、軸突起１８３ａ，１８３ｂと軸受け穴１３１ａ，１３１ｂが干渉する。すなわち、軸突起１８３ａ，１８３ｂと軸受け穴１３１ａ，１３１ｂは軸受け状態となっており、軸突起１８３ａ，１８３ｂを下方に押し下げない限り、支持板１８１の左右両端をミラーキャビネットから離間させることができなくされている。なお、凹部１８１ｃは、通常使用時には蓋板１８６を取り付けることにより覆い隠される。ただし、後述するスライダーヒンジ１９３を連結するための凹部１８１ｄは蓋覆しないように窓部１８６ａが設けられている。
【００５４】
図１３は、図１２と同様に軸突起１８３ａ，１８３ｂの構造を分解図により示している。なお、同図においては、右側（洗面化粧台の正面から見ると左側、以下図１３の説明において同じ）の軸突起１８３ａは上方に向かって突出量は増加し、左側（洗面化粧台の正面から見ると右側、以下図１３の説明において同じ）の軸突起１８３ｂは下方に押し下げられている。破線で示した軸受け穴１３１ａ，１３１ｂに対しては、軸突起１８３ａの先端は軸受け穴１３１ｂの奥部まで到達し軸受け状態を強化し、軸突起１８３ｂは押し下げられることにより軸受け状態を解除している。
【００５５】
このとき、アーム部１８７ａは、押し下げられた軸突起１８３ｂとともに左側の端部が押し下げられ、中央の支点により傾動して右側の端部が押し上げられる。すなわち、アーム部１８７ａの右側の端部に接合された軸突起１８３ａが上方に向かって突出量を増加させる。軸突起１８３ｂを押し下げる力を解除すると、バネ１８３ａ３，１８３ｂ３の復元力により、図１２に示すようにアーム部１８７ａが略平水平とされつつ、左右の軸突起１８３ａ，１８３ｂの突出量が同等な状態に復帰させられる。すなわち、一方の軸突起が押し下げられている間のみ、もう一方の軸突起の軸受け状態を強化することができる。
【００５６】
なお、円穴１８１ｅ，１８１ｆの円周部分から下方に向かって突設されたガイド爪１８１ｇ，１８１ｈが軸突起１８３ａ，１８３ｂの側面に摺接することにより、軸突起１８３ａ，１８３ｂのスライド軌道を安定させる。また、下方の軸突起１８３ｃ，１８３ｄは、以上説明した軸突起１８３ａ，１８３ｂの構造を上下反転させた構造となっている。
【００５７】
このように左右の軸突起は押し下げ可能な構成となっているため、軸受け状態を解除して保持板１８１をミラーキャビネット１３０側から引き離すことが可能となる。すなわち、収納棚１８５を閉状態とするために、図１２に示すように左右両側を軸受け状態とすることができるし、図１０に示すように左側を自由端として開扉させるために、左側の軸突起１８３ａ，１８３ｃのみの軸受け状態を解除することが可能である。むろん、図１１に示すように右側を自由端として開扉させるために右側の軸突起１８３ｂ，１８３ｄのみの軸受け状態を解除することも可能となる。
【００５８】
閉状態から保持板１８１の左端を自由端として開扉をさせるためには、左端に設けられた取っ手１８１ａに指を掛けて手前に引けばよい。このとき、保持板１８１の左側に配設された軸突起１８３ａ，１８３ｃは、ミラーキャビネット１３０から離間しようとして、軸受け穴１３１ａ，１３１ｃの内壁面に当接するまで変位する。さらに手前に引くと、当該当接部分には軸突起１８３ａ，１８３ｃの剪断方向に荷重がかかることとなる。すると、当該当接部分は先端に向かって細径となる勾配形状となっているため、軸突起１８３ａ，１８３ｃは剪断方向の荷重から逃れようと押し下げられ、ついには軸受け状態が解除されることとなる。
【００５９】
同時に、右側の軸突起１８３ｂ，１８３ｄの突出量が増加して軸受け状態が強化される。従って、保持板１８１は一体部材であるため左端の取っ手１８１ａを手前に引く力が保持板１８１を介して右端部にも及ぶものの、同時に右側の軸突起１８３ｂ，１８３ｄの軸受け状態は強化されているため、保持板１８１の右端がミラーキャビネット１３０から離間してしまうことが防止できる。すなわち、確実に意図した側のみをミラーキャビネット１３０から離間させることができるが可能となる。
【００６０】
なお、ある程度保持板１８１の左側端部がミラーキャビネット１３０から離間して軸突起１８３ｂ，１８３ｄがミラーキャビネット１３０の外側に変位すると、軸突起１８３ｂ，１８３ｄは下側に押し下げる力から開放される。すると、バネ１８３ａ３，１８３ｂ３の復元力により図１２の状態に復帰する。このとき、右側の軸突起１８３ａ，１８３ｃは、突出量が減少するものの軸受け状態は維持しているため、支持板１８１の右端にて鉛直な回転軸として機能し続ける。従って、支持板１８１の左端を自由端として右サイドミラー１８０を回転開きさせることができる。
【００６１】
さらに、支持板１８１の左端を自由端として回転開きを開始した後に支持板１８１の右端を離間させることも可能である。すなわち、ある程度保持板１８１の左側端部がミラーキャビネット１３０から離間して軸突起１８３ｂ，１８３ｄがミラーキャビネット１３０の外側に変位すると、右側の軸突起１８３ａ，１８３ｃの軸受け状態は通常となるため、右側の取っ手１８１ｂに指を掛けて強く引けば右端を離間させることができる。つまり、左右両端を順に離間させることにより、左右両端をともにミラーキャビネット１３０から離間させることが可能となる。
【００６２】
本実施形態において保持板１８１は、上下のスライダーヒンジ１９３，１９４を介してミラーキャビネット１３０と連結されている。図１４は、上側のスライダーヒンジ１９３を斜め上方から見て示している。上側のスライダーヒンジ１９３は、筒状部材１９３ａと板状部材１９３ｂとで構成され、筒状部材１９３ａは、板状部材１９３ｂより高さ方向および幅方向がやや大きい開口部１９３ａ２を内部に有している。
【００６３】
同開口部１９３ａ２は、板状部材１９３ｂの長さ方向の一端を収容しつつ、長さ方向に所定量スライド可能に保持している。なお、板状部材１９３ｂと筒状部材１９３ａとの間には図示しないベアリングが備えられ、スライドの際の摩擦抵抗を軽減させている。また、板状部材１９３ｂのスライド量を所定の範囲に規制するとともに、筒状部材１９３ａから抜けてしまわないようにするためのストッパー機構も備えられている。スライド方向の外側となる筒状部材１９３ａの一端には、連結穴１９３ａ１が設けられ、同様に、スライド方向の外側となる板状部材１９３ｂの一端には、連結穴１９３ｂ１が設けられている。
【００６４】
図１５は、収納棚１８５が閉状態となるときのスライダーヒンジ１９３の状態を上方から見て示している。同図において、鉛直軸１９５を連結穴１９３ａ１に貫通させて保持することにより、スライダーヒンジ１９３はミラーキャビネット１３０に対して水平方向に回転可能に取り付けられている。同様に、板状部材１９３ｂの連結穴１９３ｂ１も、鉛直軸１９６に貫通させられつつ保持板１８１に対して回転可能に取り付けられている。なお、板状部材１９３ｂの保持板１８１に対する取り付け位置は、図１２，１３において示した凹部１８１ｄの左右略中央位置となっている。一方、下側のスライダーヒンジ１９４も同様に、スライド可能であるとともに、ミラーキャビネット１３０、保持板１８１に回転可能に連結されている。
【００６５】
本図のような閉状態においては、スライダーヒンジ１９３は収縮している。このとき、筒状部材１９３ａが保持板１８１に干渉してしまわないように、鉛直軸１９６は、ミラーキャビネット１３０の奥側中央位置に配置されている。図１６は、保持板１８１の右端を自由端として開扉させたときのスライダーヒンジ１９３の状態を示している。同図において、スライダーヒンジ１９３は伸長しつつ、保持板１８１側の鉛直軸１９６を軸として回転させることで、保持板１８１を右側に開放的となるように配向させるとともに、自己がミラーキャビネット１３０側の鉛直軸１９５を軸として回転することで、保持板１８１の開扉角度を最大限広角にしている。
【００６６】
このように、ミラーキャビネット１３０と保持板１８１との連結にスライダーヒンジを使用して、回動可能に連結することにより、保持板１８１を回動可能かつ前方に変位可能とすることができる。従って、前実施形態と同様に、左右両開きが可能な使い勝手のよい洗面化粧台を提供することが可能となる。また、本実施形態においても保持板１８１の左右両端をともにミラーキャビネット１３０から離間させて、右サイドミラー１８０を前面方向に平行移動させることが可能である。特に、本実施形態においてはスライダーヒンジ１９３，１９４を使用しているため前方方向への直進安定性に優れている。
【図面の簡単な説明】
【図１】第一の実施形態にかかる洗面化粧台の正面図
【図２】第一の実施形態にかかる洗面化粧台の斜視図
【図３】第一の実施形態にかかる洗面化粧台の上面図
【図４】第一の実施形態にかかるヒンジの斜視図
【図５】第一の実施形態にかかるヒンジをミラーキャビネットに取り付けた状態を示した図
【図６】第一の実施形態にかかるヒンジを保持板に取り付けた状態を示した図
【図７】第一の実施形態にかかる洗面化粧台の上面図
【図８】第一の実施形態にかかる洗面化粧台の斜視図
【図９】第一の実施形態にかかる洗面化粧台の斜視図
【図１０】第二の実施形態にかかる洗面化粧台の斜視図
【図１１】第二の実施形態にかかる洗面化粧台の斜視図
【図１２】第二の実施形態にかかる保持板の分解図
【図１３】第二の実施形態にかかる保持板の分解図
【図１４】第二の実施形態にかかるスライダーヒンジの斜視図
【図１５】第二の実施形態にかかるスライダーヒンジの使用状態を表す上面図
【図１６】第二の実施形態にかかるスライダーヒンジの使用状態を表す上面図
【符号の説明】
１０…洗面化粧台
２０…洗面ボウル
３０，１３０…ミラーキャビネット
４０…蛇口
５０…下収納棚
６０…左サイドミラー
６５…収納棚
７０…センターミラー
７５…収納棚
８０，１８０…右サイドミラー
８１…保持板
８１ａ，１８１ａ…取っ手
８１ｂ，１８１ｂ…取っ手
８３ｅ…スぺーサー
８５，１８５…収納棚
９３，９４…ヒンジ
９６…ボルト
９７…円棒
１３０…ミラーキャビネット
１３１ａ〜１３１ｄ…軸受け穴
１８１ｇ，ｈ…ガイド爪
１８３ａ〜１８３ｄ…軸突起
１８６…蓋板
１８７…連動部材
１９３，１９４…スライダーヒンジ
１９５，１９６…鉛直軸
【図１】
2004337450.tif 000003
【図２】
2004337450.tif 000004
【図３】
2004337450.tif 000005
【図４】
2004337450.tif 000006
【図５】
2004337450.tif 000007
【図６】
2004337450.tif 000008
【図７】
2004337450.tif 000009
【図８】
2004337450.tif 000010
【図９】
2004337450.tif 000011
【図１０】
2004337450.tif 000012
【図１１】
2004337450.tif 000013
【図１２】
2004337450.tif 000014
【図１３】
2004337450.tif 000015
【図１４】
2004337450.tif 000016
【図１５】
2004337450.tif 000017
【図１６】
2004337450.tif 000018